(57)【要約】【課題】記録媒体の自動検出する場合、使用者の希望する品質の記録が出来るように検出し、記録装置を制御する。【解決手段】記録媒体の物理的性質を検出する検出手段と、記録装置の有する記録媒体に関連する付随情報を記録する付随情報記録手段と、を備え、検出手段の検出結果が特定の範囲にあるときは、検出結果にしたがって記録媒体の種類を特定し、検出手段の検出結果が特定の範囲にないときは、付随情報を用いて記録媒体の種類を特定する記録装置の記録媒体判別装置。【選択図】図４
2007153609.tif 000002
【特許請求の範囲】
【請求項１】
記録媒体の物理的性質を検出する検出手段と、
記録媒体に関連する付随情報を記録する付随情報記録手段と、を備え、
前記検出手段の検出結果が特定の範囲にあるときは、前記検出結果にしたがって前記記録媒体の種類を特定し、
前記検出手段の検出結果が特定の範囲にないときは、前記付随情報を用いて前記記録媒体の種類を特定する、ことを特徴とする記録装置の記録媒体判別装置。
【請求項２】
前記記録媒体の物理的性質を検出する前記検出手段は、光源とセンサで構成されている、ことを特徴とする請求項１に記載の記録装置の記録媒体判別装置。
【請求項３】
前記付随情報記録手段は、前記記録装置に設けられた不揮発性のメモリで構成される、ことを特徴とする請求項１または２に記載の記録装置の記録媒体判別装置。
【請求項４】
前記付随情報は、前記記録装置が過去に記録するのに使用した記録媒体の種別に関する情報である、ことを特徴とする請求項１乃至３のいずれか１項に記載の記録装置の記録媒体判別装置。
【請求項５】
前記付随情報は、前記記録装置に一体化された原稿読取装置が読み取った品質に関する情報である、ことを特徴とする請求項１乃至３のいずれか１項に記載の記録装置の記録媒体判別装置。
【請求項６】
前記付随情報は、前記記録装置が過去に記録するのに使用した記録媒体の種別に関する情報と、前記記録装置に一体化された原稿読取装置が読み取った品質に関する情報とよりなる、ことを特徴とする請求項１乃至３のいずれか１項に記載の記録装置の記録媒体判別装置。
【請求項７】
前記記録装置はインクを吐出することにより画像を形成するインクジェット型の記録装置であり、前記特定された記録媒体の種別にしたがって前記記録装置を制御する、ことを特徴とする請求項１乃至６のいずれか１項に記載の記録装置の記録媒体判別装置。
【請求項８】
記録媒体の物理的性質を検出する検出工程と、
記録装置の有する記録媒体に関連する付随情報の蓄積工程と、を備え、
前記検出工程の検出結果が特定の範囲にあるときは、前記検出結果にしたがって前記記録媒体の種類を特定し、
前記検出工程の検出結果が特定の範囲にないときは、蓄積された前記付随情報を用いて前記記録媒体の種類を特定する、ことを特徴とする記録装置の記録媒体判別方法。
【請求項９】
前記記録媒体の物理的性質を検出する前記検出工程は、光源とセンサで実行されている、ことを特徴とする請求項８に記載の記録装置の記録媒体判別方法。
【請求項１０】
前記付随情報は、前記記録装置が過去に記録するのに使用した記録媒体の種別に関する情報である、ことを特徴とする請求項８または９に記載の記録装置の記録媒体判別方法。
【請求項１１】
前記付随情報は、前記記録装置に一体化された原稿読取装置が読み取った品質に関する情報である、ことを特徴とする請求項８または９に記載の記録装置の記録媒体判別方法。
【請求項１２】
請求項８乃至１０のいずれか１項に記載の記録装置の記録媒体判別方法の手順が、コンピュータで実行可能なコードとして記述されたプログラム。
【請求項１３】
請求項１２に記載の記録装置の記録媒体判別方法の手順がコードとして記述されたプログラムが記録されたコンピュータ可読記憶媒体。
【発明の詳細な説明】
【技術分野】
【０００１】
本発明は記録装置の記録媒体判別装置、記録装置の記録媒体判別方法、プログラムおよび記憶媒体に関するものである。より詳細にいえば記録装置において記録媒体の種類を検知し、それに応じて最適な記録制御を提供する記録装置の記録媒体判別装置、記録装置の記録媒体判別方法、プログラムおよび記憶媒体に関する。
【背景技術】
【０００２】
現在主流の記録装置においては、所謂普通紙、コート紙、光沢紙、ＯＨＰ（Overhead Projector）用プラスチックシート(透明シート)等の様々な記録媒体が用いられ、所望の記録品質や記録目的に応じて適時選択して使用されている。
【０００３】
このような多くの種類に記録媒体に際し、使われる記録媒体による最大限の高品質な画像を提供するためには、使われる記録媒体に応じた記録制御を実行する必要がある。例えばインクジェット記録装置においては、インクの浸透力、インクの乾燥速度が大きく異なる記録媒体、例えば普通紙とコート紙とでは記録制御方法を変える必要がある。
【０００４】
記録制御方法の選択にあたり使用者の利便性を増すために、使用者が記録媒体を選択設定するのではなく、記録装置に配置されたセンサ(以下メディアセンサとも呼ぶ)を利用することが検討されている。たとえば、メディアセンサにより装填された記録媒体の種別を自動的に判別し、それにあわせた記録品質の記録制御方法を実行する機能を有する記録装置が提供されている。
【０００５】
特許文献１には記録媒体の厚さ検知を行うことによって記録媒体の種別を判別する方法が、また特許文献２には光学センサを用いて記録媒体の表面の多方向反射関数を計測することによって記録媒体の種別を判別する方法が記載されている。
【０００６】
しかしながら前述したように多種多様な記録媒体（用紙）が流通している一方で、同じ種類の記録媒体であってもばらつきがあり、また、検出側のメディアセンサにもばらつきが有る。さらに検出時における外部からの光の影響も鑑みると必ずしも常に正しい検出結果が得られるとはいえない。特に記録媒体のなかでも普通紙は多くの種類が出回っており、その一部の普通紙は、光学センサを用いた検出においてコート紙と誤認識を起こしやすい。
【０００７】
図７は従来より知られている記録媒体の種類を判別するフローチャートの一例である。  図に示すように、記録媒体の種類を判別するフローチャートでは、記録媒体を Group-01 (普通紙)、Group-02 (光沢紙)、Group-03 (コート紙)、Group-04 (ＯＨＰ用紙:Overhead Projector)）の４種類と、「紙なし」に分類する構成となっている。また、この４種類に分類する判別動作を実施するため、記録媒体に照射する光の光量を Value-1、Value-2、Value-3、Value-4 の４段階で制御している。
【０００８】
まずステップＳ１で、Value-1 の光量で記録媒体に光を照射し、検出側のメディアセンサの出力値 OUT-1 に応じてそれぞれ Group-01、Group-04 に属する記録媒体および「紙なし」を検出する。すなわち、ステップＳ２で出力値 OUT-1 が１２０またはそれ以上であった場合、記録媒体が Group-01 の普通紙であるとしてステップＳ３で設定を行い、この記録媒体の判別シーケンスを終了する。
【０００９】
また、ステップＳ２で出力値 OUT-1 が１２０以下であった場合、ステップＳ４に進む。さらにここで、メディアセンサの出力値 OUT-1 が８またはそれ以下であった場合、記録媒体が Group-04 のＯＨＰシートであると判断する。そして、ステップＳ５で設定を行い、この記録媒体の判別シーケンスを終了する。
【００１０】
しかし、ステップＳ４で出力値 OUT-1 が８より大きいと判断された場合、ステップＳ６に進む。ここで、メディアセンサの出力値 OUT-1 が９と１９の範囲にあると判断された場合、記録媒体が無いものと判断する。そして、ステップＳ７で設定を行い、この記録媒体の判別シーケンスを終了する。
【００１１】
さらに、ステップＳ６で出力値 OUT-1 が９と１９の範囲にないと判断された場合、ステップＳ８に進み、Value-1 とは異なる Value-4 の光量で記録媒体に光を照射し、ステップＳ９に進む。ステップＳ９で出力値 OUT-4 が１２０またはそれ以上であった場合、記録媒体が Group-01 の普通紙であると判断する。そして、ステップＳ３で設定を行い、この記録媒体の判別シーケンスを終了する。
【００１２】
またステップＳ９で出力値 OUT-4 が１２０以下であった場合ステップＳ１０に進み、出力値 OUT-4 が２６と１１９の範囲にあるか、２５はそれ以下であるかが判断される。そして、出力値 OUT-4 が２６と１１９の範囲にある場合、ステップＳ１１で Value-4 とは異なる Value-2 の光量で記録媒体に光を照射し、ステップＳ１２に進む。ここで、メディアセンサの出力値 OUT-2 が３３と７９の範囲にあると判断された場合、記録媒体が Group-03 のコート紙であるとしてステップＳ１３で設定を行い、この記録媒体の判別シーケンスを終了する。しかし、ステップ１２で、メディアセンサの出力値 OUT-2 が３３と７９の範囲にないと判断された場合には、記録媒体が Group-01 の普通紙であるとしてステップＳ３で設定を行い、この記録媒体の判別シーケンスを終了する。
【００１３】
また、ステップＳ１０にもどり、ステップＳ１０で、出力値 OUT-4 が２６と１１９の範囲にない場合、ステップＳ１４で Value-4 とは異なる Value-3 の光量で記録媒体に光を照射し、ステップＳ１５に進む。ここで、メディアセンサの出力値 OUT-3 が５０またはそれ以下の範囲にあると判断された場合、記録媒体が Group-02 の光沢紙であるとしてステップＳ１６で設定を行い、この記録媒体の判別シーケンスを終了する。しかし、ステップ１５で、メディアセンサの出力値 OUT-3 が５０以上であると判断された場合には、記録媒体が Group-01 の普通紙であるとして、ステップＳ３で設定を行い、この記録媒体の判別シーケンスを終了する。以上説明するように、記録媒体の判別が行われることが提案されている。
【特許文献１】特開平０８−１４６８１５号公報
【特許文献２】特開平０８−４８４３８号公報
【発明の開示】
【発明が解決しようとする課題】
【００１４】
しかし、上記の場合例えば、Value-2 の光量で光を照射して普通紙とコート紙を判別しているシーケンスがあるが、メディアセンサの検出値 out-2 が「１」違うことで普通紙であると判断される場合もあるし、あるいはコート紙であると判断される場合もある。例えば、一般に高品質での記録を期待しているコート紙を通常品質の普通紙と誤まって認識した場合、使用者に所望の記録品質で記録された記録媒体を提供できなくなる問題点が生じる。一方、使用者が多数の種類の記録媒体を使うことは非常にまれで、大多数の使用者は自らの嗜好に適した特定の種類の記録媒体を使用しているのが一般的である。
【００１５】
そこで、メディアセンサにより検出された検出結果が記録媒体を判断する際のしきい値の境界付近の領域にあたるような場合、使用者の過去の記録装置の使用状況等、他の情報に応じてより使用者が使用している記録媒体であると認識する。そのようにすることで記録媒体の種類に適した記録品質で印刷することになり、使用者の嗜好に適した記録品質の記録物を提供することが出来る。
【００１６】
したがって本発明は、記録媒体の種類を自動的に判別する場合、自動判別しにくい判別結果については、印刷履歴等の他の付随情報を利用して記録媒体の種類を決定するようにすることを目的とする。
【課題を解決するための手段】
【００１７】
本発明の実施形態によれば、記録媒体の物理的性質を検出する検出手段と、記録装置の有する記録媒体に関連する付随情報を記録する付随情報記録手段と、を備え、前記検出手段の検出結果が特定の範囲にあるときは、前記検出結果にしたがって前記記録媒体の種類を特定し、前記検出手段の検出結果が特定の範囲にないときは、前記付随情報を用いて前記記録媒体の種類を特定する、ことを特徴とする記録装置の記録媒体判別装置を提供する。
【００１８】
本発明の他の実施形態によれば、記録媒体の物理的性質を検出する検出工程と、記録装置の有する記録媒体に関連する付随情報の蓄積工程と、を備え、前記検出工程の検出結果が特定の範囲にあるときは、前記検出結果にしたがって前記記録媒体の種類を特定し、前記検出工程の検出結果が特定の範囲にないときは、蓄積された前記付随情報を用いて前記記録媒体の種類を特定する、ことを特徴とする記録装置の記録媒体判別方法を提供する。  本発明のさらに他の実施形態によれば、前記記録装置の記録媒体判別方法の手順が、コンピュータで実行可能なコードとして記述されたプログラムを提供する。
【００１９】
本発明のさらに他の実施形態によれば、前記記録装置の記録媒体判別方法の手順がコードとして記述されたプログラムが記録されたコンピュータ可読記憶媒体を提供する。
【発明の効果】
【００２０】
本発明によれば、使用者の過去の装置の使用状況等の情報に応じて、使用者が使用している記録媒体であると認識し、それに適した記録品質で印刷することになり、使用者の嗜好に適した記録品質の記録物を提供することが可能になる。
【発明を実施するための最良の形態】
【００２１】
＜実施形態１＞
以下図面を参照して本発明の好適な実施形態を詳細に説明する。
【００２２】
図１は本発明の実施形態として適応可能な記録装置の斜視図である。図１に示す本発明の実施形態に適応可能な記録装置は、いわゆるインクジェット記録方式の記録ヘッド１を備えたインクジェット記録装置である。この記録ヘッド１はインクジェット記録方式の中でも特にエネルギー発生手段として発熱抵抗体を有する発熱素子等の電気熱変換体を用いて、インクを加熱し、熱エネルギーによってインク滴を吐出させる方式である。この方式を用いることにより、記録画像の高密度化および高精細化を達成しているものである。しかしながら、本発明の実施においては、インクジェット記録方式の記録装置に限られるものではなく、他の方式の記録装置にも適用することが可能である。しかし本明細書においては、インクジェット記録方式の記録装置を実施形態の１例として使用し、本発明を説明する。
【００２３】
記録ヘッド１はシアン記録ヘッド１Ｃ、マゼンタ記録ヘッド１Ｍ、イエロー記録ヘッド１Ｙおよびブラック記録ヘッド１Ｋの４色の記録ヘッドを有する。そして、各色の記録ヘッド１Ｃ、１Ｍ、１Ｙ、１Ｋはガイド軸３の長さ方向に沿って配列された状態すなわちキャリッジ２の移動方向に沿った状態でキャリッジ２に搭載されている。図４において、記録ヘッド１は図示下向きにインクを吐出する姿勢でキャリッジ２に搭載されている。キャリッジ２の軸受け部２ａがガイド軸３に沿って移動しながらインク液滴を吐出して、記録用紙等の記録媒体４上に１走査分の画像を形成していく。なお、キャリッジ２のガイド軸３に沿った往復運動は、キャリッジモータ５の駆動力が伝達されたプーリ６の回転により、タイミングベルト７を介して行われる。
【００２４】
記録ヘッド１による１走査分の記録が終了すると、記録ヘッド１は記録を中断し搬送モータ９が駆動されて、プラテン８上に位置する記録媒体４がキャリッジ２の移動方向に対して直行する方向に所定量だけ搬送される。次いで再びキャリッジ２をガイド軸３に沿って移動させながら次の１走査分の画像形成を行う。これらの動作を繰り返すことにより、記録媒体４の全体に文字や画像が記録される。
【００２５】
記録装置全体の図の右側には記録ヘッド１のインク吐出状態を良好に保つための回復動作を行う回復系１０が配設されている。回復系１０には記録ヘッド１をキャップするキャップ１１、記録ヘッド１のインク吐出面を拭うワイパ１２、および記録ヘッド１のインク吐出ノズルからインクを吸引するための吸引ポンプ(不図示)等が設けられている。また、本実施形態の記録装置はキャリッジ２の位置を検出するために、エンコーダスケール１３およびエンコーダ１４を備えている。
【００２６】
１５はメディアセンサであり、図示はされていないが、記録装置の記録媒体給紙部に搭載された記録媒体４の種類を検知することが可能に構成されている。
【００２７】
図２は図１に示す記録装置の内部の制御構成を示す機能的ブロック図であり、図１に示した部品等と同じ部品等に相当する場合は同じ参照番号が用いられている。
【００２８】
５００は通常印刷時にホストとの間で記録データの授受を行うＩ／Ｆ（Interface）ブロックでありＦＩＦＯ（First-In First-Out）メモリで構成されている。５０１は記録動作等の各種制御を行うＡＳＩＣ（Application Specific Integrated Circuit）でＣＰＵ（Central Processing Unit）とＧＡ（Gate Array）から構成されている。
【００２９】
５０２は記録動作の手順等が記述されたプログラムを格納されているＲＯＭ（Read Only Memory）である。５０３はデータを一時的に格納するＲＡＭ（Random Access Memory）であり、プリントバッファ領域にも使用される。５０４は不揮発性メモリであるＥＥＰＲＯＭ（Electrically Erasable Programmable Read Only Memory）であり、記憶されたデータは装置の電源が切られた状態でも保持される。そして、インクジェット記録装置により実行された記録品質(記録媒体)情報、記録品質毎の累積記録枚数あるいは記録ヘッド１の累積吸引回数、インク残量等の装置使用状況が記憶されている。
【００３０】
なお記録時にはキャリッジ２の駆動源であるキャリッジモータ５、記録媒体４の搬送駆動源である搬送モータ９は、それぞれドライバ５０８、５０９により駆動される。また、記録媒体供給装置(ＡＳＦ：Auto Sheet Feeder)５０５の駆動源である記録媒体供給モータ５０６、回復系１０の駆動源である回復モータ５０７は、それぞれドライバ５１０、５１１により駆動される。さらに記録ヘッド１に設けられている吐出エネルギ発生手段（不図示）は、ドライバ５１２により駆動される。それぞれの駆動源と記録ヘッドを駆動することにより記録動作が実行される。なおそれぞれのドライバはそれぞれに対応したセンサ(不図示)からの情報に基づいて駆動が制御されている。
【００３１】
またメディアセンサ１５の検出結果もＡＳＩＣ５０１に入力されるような構成となっている。なおメディアセンサの検知タイミングは記録媒体４に記録を開始する直前に実施され、検出結果を基にＡＳＩＣ５０１は、次に記録を実施する記録媒体４を認識し、それに応じた記録品質で記録制御を行い記録動作が実行される。
【００３２】
図３はメディアセンサ１５の制御回路の一例を示す図である。図３に示すメディアセンサ１５は記録媒体４の表面の反射率の差異を、固定された一つの角度から反射型フォトセンサによって測定し、しきい値法によって種別を判別している。メディアセンサ１５はＬＥＤ(Light Emitting Diode）１６で示される１つの発光部(光源)と、受光部であるディテクタ１７、ディテクタ１８から構成されている。またＬＥＤ１６とディテクタ１７、１８は記録媒体４の表面上の同一箇所に焦点を結ぶように焦点距離と角度が調整されている。
【００３３】
またＬＥＤ１６が高速応答が可能なように外部に抵抗Ｒ、コンデンサＣからなる回路が設けられている。さらに、ＬＥＤ１６を制御するＡＳＩＣ５０１のポートはＰＷＭ（Pulse Width Modulation）ポートが割り当てられており、ＰＷＭ駆動することにより図７に示す Value-1 乃至 Value-4 の４段階の光量を記録媒体４に照射可能に構成されている。
【００３４】
ＬＥＤ１６から記録媒体４に光を照射し、記録媒体４からの直接の反射光である正反射光、散乱した光である拡散光をそれぞれのディテクタ１７、１８で検出する。ディテクタ１７、１８の出力値はＡＳＩＣ５０１のＡ/Ｄ（Analog to Digital）ポートに接続されており、ＡＳＩＣ５０１は検出した光に応じたアナログ値を認識することになる。
【００３５】
むろん記録媒体４により前述した正反射光、拡散光のディテクタ１７、１８での検出レベルは異なり、図７に示すようなシーケンスに従い最終的に記録媒体４の判別をしている。なお図７における出力レベルの値は前述の正反射光、拡散光のディテクタ１７、１８での検出レベルの比の値である。
【００３６】
図４は本発明の１実施形態における動作を示すフローチャートである。なお説明を簡単にするために、前述した従来例の図７における Value-2 の光量で普通紙とコート紙を判別しているシーケンス部分に着目して説明するが、本発明の意図するところはこれに限られるものではないことは明白である。図４のフローチャートは、たとえば図７のステップＳ１２を含む点線で囲まれた部分と置き換えられるものとして実施することが出来る。従って、本発明の１実施形態においても記録媒体４の種類の判別は、まず図７に示される従来例と同じ手順で実施される。
【００３７】
従って、図７のフローチャートにおけるステップＳ１１で、Value-4 とは異なる Value-2 の光量で記録媒体４に光を照射し、図４のステップＳ４１に進む。
【００３８】
図７に示した従来例においては、ステップＳ１２において、メディアセンサの出力値 OUT-2 が３３と７９の間にあると判断された場合は、記録媒体４が Group-03 のコート紙であると判断した。そして、ステップＳ１３で設定を行い、この記録媒体４の判別シーケンスを終了していた。また、メディアセンサの出力値 OUT-2 が３３と７９の間にないと判断された場合は、記録媒体４が Group-01 の普通紙であると判断した。そして、ステップＳ３で設定を行い、この記録媒体４の判別シーケンスを終了していた。
【００３９】
しかしながら、図４に示す本発明の実施形態においては、ステップＳ４１で、メディアセンサの出力値 OUT-2 が２４以下の場合、および８８以上の場合には、記録媒体４が Group-01 の普通紙である判断する。そして図７のステップＳ３で設定を行い、この記録媒体４の判別シーケンスを終了する。また、ステップＳ４１で、メディアセンサの出力値 OUT-2 が２５と８７の間にあると判断された場合、ステップＳ４２に進み、再びメディアセンサの出力値 OUT-2 がチェックされる。ステップＳ４２で、メディアセンサの出力値 OUT-2 が４０と７２の範囲にある場合、記録媒体４が Group-03 のコート紙である判断する。そして図７のステップＳ１３で設定を行い、この記録媒体４の判別シーケンスを終了する。
【００４０】
しかし、ステップＳ４２で、メディアセンサの出力値 OUT-2 が４０と７２の範囲にない場合はステップＳ４３に進み、しきい値領域として設定する。ここで、メディアセンサの出力値 OUT-2 が４０と７２の範囲にない場合は、すなわち、メディアセンサの出力値 OUT-2 が２５と３９の範囲にあるか、または７３と８７の範囲にある場合である。ステップＳ４３においては、ＥＥＰＯＭ５０４に格納されているインクジェット記録装置により実行された記録品質または記録媒体情報、記録品質毎の累積記録枚数を読み出す。さらに、使用者の過去の使用履歴を元に過去に多く印字した記録品質に対応した記録媒体４を選択する。
【００４１】
例えばステップＳ４３で、ＥＥＰＲＯＭ５０４で読み出した結果、普通紙モードでの印刷が過去１枚、コート紙モードでの印刷が過去１００枚あったとする。この場合、しきい値領域が検出された場合には、記録媒体４は Group-03 のコート紙であるとステップＳ４４で判断するように制御する。従って、ステップＳ４４にあっては、過去の履歴に従って記録媒体４の種別を、Group-03 のコート紙であるが、または Group-01 の普通紙であるかを決定する。その決定にしたがって、ステップＳ３またはステップＳ１３で対応する設定を行い、この記録媒体４の判別シーケンスを終了する。前述のような制御構成とすることにより、記録媒体４およびメディアセンサ１５のばらつき等により検出精度が取れない領域に対しても、使用者の嗜好に合った品質の記録媒体４に対応して記録された記録物を提供することが可能になる。
【００４２】
具体的には、記録媒体４およびメディアセンサ１５のばらつき等により検出精度が取れない領域に対して、使用者の過去の記録媒体４の使用履歴を参照して検出結果を確定する。なお前記実施形態においては、ＥＥＰＲＯＭ５０４に格納された過去に使用した記録媒体の履歴をすべて参照対象としたが、例えば最近１００回の履歴を用いたり、最近１週間の履歴を用いて決定しても本発明の意図するところを実現可能である。
【００４３】
＜実施形態２＞
上記実施形態においては使用者の過去の記録媒体の使用履歴を用いて検出精度を上げる方法であったが、別の情報を利用した制御構成とすることも可能である。
【００４４】
図５は本発明の実施形態として適応可能な記録装置であるマルチファンクションプリンタ(ＭＦＰ:Multi Function Printer)の概観図である。図に示すようにＭＦＰとはスキャナ部６００と記録装置部６１０とが一体に構成された装置である。記録装置部６１０が記録媒体４に応じて記録品質を変えることができるように、スキャナ部６００も読み取り品質を自在に設定することができる。
【００４５】
図６は本発明の実施形態２における動作を示すフローチャートである。基本的に図４に示す実施形態２における動作を示すフローチャートと同様で、図７における点線で囲んだステップＳ１２と置き換えられて実施されるものである。図６におけるフローチャートにおいて、ステップＳ６１、Ｓ６２およびＳ６４は、図４に示すフローチャートのステップＳ４１、Ｓ４２およびＳ４４と同じであり説明は省略する。図６の実施形態のフローチャートのステップＳ６４においては、スキャナ部６００の読取品質履歴にしたがって、記録媒体４の種別を、Group-03 のコート紙であるが、または Group-01 の普通紙であるかを決定する。
【００４６】
例えば、記録動作の直前にスキャナ部６００を動作させたとすると、多くの場合直前に読み取った画像を印刷すると予測される。したがって記録直前にスキャナ部を動作させた場合にはその読み取った品質に対応する記録媒体で記録することが多くの場合考えられる。実際の記録直前に記録媒体４をメディアセンサ１５で検出した出力値 OUT-2 がしきい値領域の値であったとする。この場合には、スキャナ部の読取解像度が１２００dpi の高解像度で読み取っていれば、Group-03 のコート紙、３００dpi の低解像度で読み取っていれば Group-01 の普通紙と特定するような制御構成とするものである。
【００４７】
またスキャナ制御部６１０でのスキャナの読み取り解像度毎の読み取りデータ枚数を、ＥＥＰＲＯＭ５０４に格納し、過去の履歴をすべて対象として参照するとしても、例えば最近１００回の履歴を用いて決定しても本発明の意図するところを実現可能である。また、最近１００回の履歴ではなく、最近1週間の履歴を用いても本発明の意図するところを実現可能である。
【００４８】
さらには使用者の記録媒体の使用履歴と読み取り品質履歴とを組み合わせて、記録媒体４の種別を決定するような制御構成としても本発明の意図するところを実現可能である。  また、本発明の目的は、前述した実施形態の機能を実現するソフトウェアのプログラムコードを記録した記憶媒体を、システムあるいは装置に供給しても達成可能である。
すなわち、そのシステムあるいは装置のコンピュータ（またはＣＰＵやＭＰＵ）が記憶媒体に格納されたプログラムコードを読出し実行することによっても、達成されることは言うまでもない。
【００４９】
この場合、記憶媒体から読出されたプログラムコード自体が前述した実施形態の機能を実現することになり、そのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【００５０】
しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５１】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５２】
【図１】本発明の実施形態に適応可能な記録装置の構成を示す斜視図である。
【図２】本発明の実施形態に適応可能な記録装置の内部の模式的な制御ブロック構成を示すブロック図である。
【図３】本発明の実施形態に適応可能なメディアセンサの制御回路の一例を示す回路図である。
【図４】本発明の実施形態による記録媒体の判別のフローチャートの一例である。
【図５】本発明の他の実施形態として適応可能な記録装置である多機能記録装置の概略構成図である。
【図６】本発明の他の実施形態による記録媒体の判別のフローチャートの一例である。
【図７】従来例における記録媒体の判別のフローチャートの一例である。
【符号の説明】
【００５３】
４  記録媒体
１５  メディアセンサ
１６  ＬＥＤ
１７、１８  ディテクタ
５０１  ＡＳＩＣ
５０４  ＥＥＰＲＯＭ
６００  スキャナ部
６１０  記録装置部
【図１】
2007153609.tif 000003
【図２】
2007153609.tif 000004
【図３】
2007153609.tif 000005
【図４】
2007153609.tif 000006
【図５】
2007153609.tif 000007
【図６】
2007153609.tif 000008
【図７】
2007153609.tif 000009